(57)【要約】【課題】樹脂一体成形の背凭れ部材に実効的にクッション性を付与する。【解決手段】背凭れ部材において、後面側に開口する空間部１５と、空間部１５の縁部から前面側に突き出しており着座者の身体の荷重を受けて弾性変形する変形部１４とを樹脂一体成形して設けた。着座者の身体の荷重を受けた変形部１４は、少なくとも空間部１５の縁部に連なる部分１４１が空間部１５の内側に入り込むか、あるいは空間部１５の外側に撓むように変形し、クッション性を発揮する。【選択図】図３Ａ
2010000166.tif 000002
【特許請求の範囲】
【請求項１】
後面側に開口する空間部と、
前記空間部の縁部から前面側に突き出しており着座者の身体の荷重を受けて弾性変形する変形部と
を樹脂一体成形して設けたことを特徴とする背凭れ部材。
【請求項２】
着座者の身体の荷重を受けた変形部は、少なくとも空間部の縁部に連なる部分が空間部の内側に入り込む請求項１記載の背凭れ部材。
【請求項３】
着座者の身体の荷重を受けた変形部は、少なくとも空間部の縁部に連なる部分が空間部の外側に撓む請求項１記載の背凭れ部材。
【請求項４】
着座者の身体と接触して着座者の荷重を受ける身体保持部と、
前記身体保持部を支持するフレーム部と、
前記身体保持部の端部と前記フレーム部との間に介在して両者を接続するとともに、弾性変形を通じて身体保持部の端部とフレーム部との距離を拡縮させる伸縮部とをさらに具備し、
身体保持部の縁部に変形部を設けるとともに、その縁部に空間部を隣接させており、
これら身体保持部、フレーム部、伸縮部及び変形部を樹脂一体成形している請求項１、２または３記載の背凭れ部材。
【請求項５】
請求項１、２、３または４記載の背凭れ部材を用いてなる背凭れを有する椅子。
【発明の詳細な説明】
【技術分野】
【０００１】
本発明は、椅子の背凭れの構成部材に関する。
【背景技術】
【０００２】
オフィス等で使用される椅子には種々の態様のものが存在する。背凭れに着目しても、フレームに伸縮性に富むメッシュ素材の張材を張り設けたもの（例えば、下記非特許文献１を参照）や、シェルの前面にクッションを取り付けたもの（例えば、下記非特許文献２を参照）、硬質樹脂板を主体としたもの（例えば、下記非特許文献３を参照）等、様々である。
【非特許文献１】“ＦＯＳＴＥＲ  ＥＴＨＯＳ”，コクヨ総合カタログ２００８年版ファニチャー編，コクヨ株式会社，平成１９年１２月，ｐ．３２０−３２３
【非特許文献２】“ＳＥＤＩＳＴＡ”，コクヨ総合カタログ２００８年版ファニチャー編，コクヨ株式会社，平成１９年１２月，ｐ．３５６−３５９
【非特許文献３】“Ｐｒｏｔｔｙ”，コクヨ総合カタログ２００８年版ファニチャー編，コクヨ株式会社，平成１９年１２月，ｐ．３９２−３９３
【発明の開示】
【発明が解決しようとする課題】
【０００３】
着座者の身体を支持する背凭れ面を樹脂成形部材単体で構成すれば、張材を張り設けたりクッションを取り付けたりするものに比べて製造コストを低減できる。
【０００４】
だが、従前の如き硬質樹脂板では、背凭れ面のクッション性を具現することは不可能であり、椅子の座り心地の面で不利となる。
【０００５】
以上の問題に着目してなされた本発明は、樹脂一体成形の背凭れ部材に実効的にクッション性を付与することを所期の目的としている。
【課題を解決するための手段】
【０００６】
上述した課題を解決するべく、本発明では、後面側に開口する空間部と、前記空間部の縁部から前面側に突き出しており着座者の身体の荷重を受けて弾性変形する変形部とを樹脂一体成形することとした。このようなものであれば、比較的低コストで製造できる上、変形部の変形を利用したクッション性が実現される。
【０００７】
変形部は、着座者の身体の荷重を受けたときに、少なくとも空間部の縁部に連なる部分が空間部の内側に入り込むか、あるいは空間部の外側に撓むものとする。
【０００８】
着座者の身体と接触して着座者の荷重を受ける身体保持部と、前記身体保持部を支持するフレーム部と、前記身体保持部の端部と前記フレーム部との間に介在して両者を接続するとともに、弾性変形を通じて身体保持部の端部とフレーム部との距離を拡縮させる伸縮部とをさらに具備し、身体保持部の縁部に変形部を設けるとともに、その縁部に空間部を隣接させており、これら身体保持部、フレーム部、伸縮部及び変形部を樹脂一体成形していれば、伸縮部の伸長により身体保持部及び変形部をフレーム部に対して相対変位可能とすることができ、背凭れ面の可変形性及び弾力性が増強される。
【発明の効果】
【０００９】
本発明によれば、樹脂一体成形の背凭れ部材にクッション性を付与することができ、この背凭れ部材を背凭れに用いた椅子の座り心地の向上に寄与し得る。
【発明を実施するための最良の形態】
【００１０】
以下、本発明の一実施形態を、図面を参照して説明する。図１に、本発明に係る背凭れ部材１を適用した椅子を示す。この椅子は、既存の椅子と同様、脚５と、脚５の上部に取り付けた支基４と、支基４に支持させた座３及び背凭れ２とを備えてなるもので、その背凭れ２を構成する主体として硬質樹脂一体成形品の背凭れ部材１を採用している。
【００１１】
図２等に示すように、背凭れ部材１は、後面側に開口する空間部１５と、空間部１５の縁部から前面側に突き出しており着座者の身体の荷重を受けて弾性変形する変形部１４とを具備し、その変形部１４によってクッション性を実現したものである。
【００１２】
＜第１実施形態＞図２及び図３に示している背凭れ部材１では、上下方向に延伸した左右一対のフレーム部１２の上端部同士及び／または下端部同士をそれぞれ左右方向に延伸したフレーム部１３で連結して正面視三方枠または四方枠を構築し、その内周に着座者の身体を保持する身体保持部１１を架け渡している。身体保持部１１は、フレーム部１２、１３と比べて可撓性を有する。図２及び図３に示すものでは、正面視斜め方向に拡張した、前後の厚みが薄い帯状体である。帯状体の一部は、一端部が左方または右方のフレーム部１２に接続し、他端部が上方または下方のフレーム部１３に接続する。この身体保持部１１は全体として格子網状をなしており、前後に開通した空間部１５を複数包有する。
【００１３】
図３Ａに示すように、変形部１４は、その空間部１５の縁部から前面側に突き出している。着座者の身体の荷重を受けたとき、変形部１４は、図３Ｂに示すように、空間部１５の縁部に連なる基端部分１４１が空間部１５の内側に入り込むように弾性変形する。あるいは、図３Ｃに示すように、空間部１５の縁部に連なる基端部分１４１が空間部１５の外側に撓み、折り曲げられるように弾性変形する。
【００１４】
＜第２実施形態＞図４及び図５に示している背凭れ部材１では、背凭れ面を構成する板体の各所に変形部１４を点在させて成形している。変形部１４は、その上下が互いに略平行な縁辺をなすように板体から切り離される一方で、左右は板体に連接している。変形部１４は、背凭れ部材１の他の部位よりも厚みが薄く、弾性変形しやすい。
【００１５】
図５Ａに示すように、変形部１４は板体の前面よりも前方に迫り出し、その後背に後方に開放した空間部１５を存在させている。着座者の身体の荷重を受けたとき、変形部１４は、図５Ｂに示すように、空間部１５の縁部に連なる側縁部分１４１が空間部１５の内側に入り込むように弾性変形する。あるいは、図５Ｃに示すように、空間部１５の縁部に連なる側縁部分１４１が空間部１５の外側に撓み、折り曲げられるように弾性変形する。
【００１６】
＜第３実施形態＞図６Ａに示している背凭れ部材１の変形部１４は、図４に示した例における変形部１４の中途部分を切断したものとなっている。着座者の身体の荷重を受けたとき、変形部１４は、図６Ｂに示すように、空間部１５の縁部に連なる側縁部分１４１が空間部１５の内側に入り込むように弾性変形する。あるいは、図６Ｃに示すように、空間部１５の縁部に連なる側縁部分１４１が空間部１５の外側に撓み、折り曲げられるように弾性変形する。
【００１７】
＜第４実施形態＞図７ないし図８に示している背凭れ部材１では、背凭れ面を構成する板体に上下方向に延伸したチャネル状をなす変形部１４を並列的に成形している。変形部１４は、背凭れ部材１の左右部位及び変形部１４と変形部１４との間の部位よりも厚みが薄く、弾性変形しやすい。背凭れ部材１の左右部位及び変形部１４と変形部１４との間の部位は、図示しないリブ等の補強を介して相互に連結することが好ましい。
【００１８】
図８Ａに示すように、変形部１４は板体の前面よりも前方に突出し、その後背に後方に開放した空間部１５を存在させている。変形部１４は着座者の身体の荷重を受けたとき、変形部１４は、図８Ｂに示すように、空間部１５の縁部に連なる側壁部分１４１が空間部１５の内側に入り込むように弾性変形する。あるいは、図８Ｃに示すように、空間部１５の縁部に連なる側壁部分１４１が空間部１５の外側に撓み、折り曲げられるように弾性変形する。
【００１９】
＜第５実施形態＞図９及び図１０に示している背凭れ部材１では、背凭れ面を構成する板体に正面視略切頭円錐状をなす複数個の変形部１４を成形している。変形部１４は、背凭れ部材１の他の部位よりも厚みが薄く、弾性変形しやすい。
【００２０】
図１０Ａに示すように、変形部１４は板体の前面よりも前方に突出し、その後背に後方に開放した空間部１５を存在させている。着座者の身体の荷重を受けたとき、変形部１４は、図１０Ｂに示すように、空間部１５の縁部に連なる周壁部分１４１、言い換えれば円錐面に該当する部分が空間部１５の内側に入り込むように弾性変形する。あるいは、図１０Ｃに示すように、空間部１５の縁部に連なる周壁部分１４１が空間部１５の外側に撓み、折り曲げられるように弾性変形する。なお、変形部１４の周壁に切り込みを入れて、容易に湾曲ないし屈曲するようにしてもよい。
【００２１】
＜第６実施形態＞図１１及び図１２に示す背凭れ部材１では、フレーム部１２、１３に身体保持部１１を支持させ、その身体保持部１１に変形部１４及び空間部１５を設けるとともに、身体保持部１１の端部とフレーム部１２、１３との間に伸縮部１６を介在させて両者を接続するようにしている。伸縮部１６は、弾性変形を通じて身体保持部１１の端部とフレーム部１２、１３との距離を拡縮させる。
【００２２】
図１２Ａに示すように、伸縮部１６は例えば、身体保持部１１の端部に連なり、そこから前後に突没するように折り畳まれた襞状（または、波状）をなす。伸縮部１６は後方に湾出しており、身体保持部１１の前面よりも前方には突き出さない。伸縮部１６は、身体保持部１１及びフレーム部１２、１３よりも弾性率が高い、即ち弾性変形して伸縮しやすい。身体保持部１１が着座者の身体の荷重を受けたとき、伸縮部１６の襞状部分が弾性変形により拡開することで伸長し、身体保持部１１の端部とフレーム部１２との距離を広げる。結果、身体保持部１１がフレーム部１２、１３に対し相対的に後方に変位する。同時に、伸縮部１６が、身体保持部１１を介して着座者の身体を前方へ押し返そうとする弾性反発力を発揮する。着座者が左方または右方に偏った姿勢で背凭れ１に凭れかかった場合、換言すれば偏荷重がかかった場合には、図１２Ｂに例示するように、左右の伸縮部１６のうち一方が他方よりも大きく伸長して、背凭れ面が左方または右方に傾く。
【００２３】
上下に並んだ伸縮部１６は、互いに独立している。そして、比較的上方に位置する伸縮部１６は、比較的下方に位置する伸縮部１６に比して後方への湾出長が大きくなっており、その分伸縮可能量が大きい。故に、より上位にある身体保持部１１ほど、荷重を受けたときに深く後方に沈み込む。
【００２４】
また、各所の伸縮部１６毎の弾性率を変えることで、ある位置の身体保持部１１を沈み込みにくく、別の位置の身体保持部１１を沈み込みやすくすることも考えられる。伸縮部１６の弾性率を変えるには、襞状部分の湾出長や襞の数を変えたり、肉厚あるいは肉薄にしたり、伸縮部１６に付随させてリブ等の補強を成形したりする。
【００２５】
本実施形態によれば、後面側に開口する空間部１５と、前記空間部１５の縁部から前面側に突き出しており着座者の身体の荷重を受けて弾性変形する、即ち少なくとも空間部１５の縁部に連なる部分１４１が空間部１５の内側に入り込むかあるいは空間部１５の外側に撓む変形部１４とを樹脂一体成形することとしたため、比較的低コストで製造できる上、変形部１４の変形を利用したクッション性が実現される。
【００２６】
着座者の身体と接触して着座者の荷重を受ける身体保持部１１と、前記身体保持部１１を支持するフレーム部１２、１３と、前記身体保持部１１の端部と前記フレーム部１２、１３との間に介在して両者を接続するとともに、弾性変形を通じて身体保持部１１の端部とフレーム部１２、１３との距離を拡縮させる伸縮部１６とをさらに具備し、身体保持部１１の縁部に変形部１４を設けるとともに、その縁部に空間部１５を隣接させており、これら身体保持部１１、フレーム部１２、１３、伸縮部１６及び変形部１４を樹脂一体成形するようにすれば、伸縮部１６の伸長により身体保持部１１及び変形部１４をフレーム部１２、１３に対して相対変位可能とすることができ、背凭れ面の可変形性及び弾力性が増強される。
【００２７】
なお、本発明は以上に詳述した実施形態に限られるものではない。背凭れ部材１に、その前面及び／または後面を被覆する張り部材を被せてもよいし、その前面にクッションパットを取り付けてもよい。
【００２８】
その他各部の具体的構成は、本発明の趣旨を逸脱しない範囲で種々変形が可能である。
【図面の簡単な説明】
【００２９】
【図１】本発明に係る背凭れ部材を適用した椅子を示す正面図。
【図２】本発明の一実施形態の背凭れ部材の正面図。
【図３Ａ】同実施形態の背凭れ部材のＡ−Ａ線部分断面図。
【図３Ｂ】同実施形態の背凭れ部材のＡ−Ａ線部分断面図。
【図３Ｃ】同実施形態の背凭れ部材のＡ−Ａ線部分断面図。
【図４】本発明の一実施形態の背凭れ部材の正面図。
【図５Ａ】同実施形態の背凭れ部材のＢ−Ｂ線部分断面図。
【図５Ｂ】同実施形態の背凭れ部材のＢ−Ｂ線部分断面図。
【図５Ｃ】同実施形態の背凭れ部材のＢ−Ｂ線部分断面図。
【図６Ａ】本発明の一実施形態の背凭れ部材の部分平断面図。
【図６Ｂ】同実施形態の背凭れ部材の部分平断面図。
【図６Ｃ】同実施形態の背凭れ部材の部分平断面図。
【図７】本発明の一実施形態の背凭れ部材の正面図。
【図８Ａ】同実施形態の背凭れ部材のＣ−Ｃ線部分断面図。
【図８Ｂ】同実施形態の背凭れ部材のＣ−Ｃ線部分断面図。
【図８Ｃ】同実施形態の背凭れ部材のＣ−Ｃ線部分断面図。
【図９】本発明の一実施形態の背凭れ部材の正面図。
【図１０Ａ】同実施形態の背凭れ部材のＤ−Ｄ線部分断面図。
【図１０Ｂ】同実施形態の背凭れ部材のＤ−Ｄ線部分断面図。
【図１０Ｃ】同実施形態の背凭れ部材のＤ−Ｄ線部分断面図。
【図１１】本発明の一実施形態の背凭れ部材の正面図。
【図１２Ａ】同実施形態の背凭れ部材のＥ−Ｅ線断面図。
【図１２Ｂ】同実施形態の背凭れ部材のＥ−Ｅ線断面図。
【符号の説明】
【００３０】
１…背凭れ部材
１１…身体保持部
１２、１３…フレーム部
１４…変形部
１５…空間部
１６…伸縮部
【図１】
2010000166.tif 000003
【図２】
2010000166.tif 000004
【図３Ａ】
2010000166.tif 000005
【図３Ｂ】
2010000166.tif 000006
【図３Ｃ】
2010000166.tif 000007
【図４】
2010000166.tif 000008
【図５Ａ】
2010000166.tif 000009
【図５Ｂ】
2010000166.tif 000010
【図５Ｃ】
2010000166.tif 000011
【図６Ａ】
2010000166.tif 000012
【図６Ｂ】
2010000166.tif 000013
【図６Ｃ】
2010000166.tif 000014
【図７】
2010000166.tif 000015
【図８Ａ】
2010000166.tif 000016
【図８Ｂ】
2010000166.tif 000017
【図８Ｃ】
2010000166.tif 000018
【図９】
2010000166.tif 000019
【図１０Ａ】
2010000166.tif 000020
【図１０Ｂ】
2010000166.tif 000021
【図１０Ｃ】
2010000166.tif 000022
【図１１】
2010000166.tif 000023
【図１２Ａ】
2010000166.tif 000024
【図１２Ｂ】
2010000166.tif 000025